(57)【要約】【課題】発射ハンドルを所定向きで保持でき、その向きでの固定ずれを低減でき、操作手段に対する不測の操作を防止することができる遊技機を提供する。【解決手段】遊技に際して遊技者により回転操作（遊技操作）される発射ハンドル１４と、遊技者による向き変更操作（変位操作）に従って発射ハンドル１４を基準状態（プランジャー１０１が位置決め孔部１１３ｂに位置する状態）とは異なる所定の変位状態（位置決め孔部１１３ｂ以外の位置決め孔部に位置する状態）に変位可能なハンドル角度調整手段６５と、発射ハンドル１４を基準状態又は変位後状態で位置決め保持する位置決め保持手段５８と、この位置決め保持手段５８で位置決め保持された発射ハンドル１４をその位置決め状態で固定する位置固定手段５９と、解除条件成立としての解除指示入力に基づいて位置固定手段５９による固定を解除する解除手段６０とを備える。【選択図】図４
2014094143.tif 000002
【特許請求の範囲】
【請求項１】
遊技に際して遊技者により遊技操作される操作手段を備える遊技機において、
遊技者による変位操作に従って前記操作手段を基準状態とは異なる所定の変位状態に変位可能な変位手段と、
前記操作手段を前記基準状態又は変位後状態で位置決め保持する位置決め保持手段と、
前記位置決め保持手段で位置決め保持された前記操作手段をその位置決め状態で固定する位置固定手段と、
解除条件成立に基づいて前記位置固定手段による固定を解除する解除手段とを備える
ことを特徴とする遊技機。
【請求項２】
前記操作手段は、遊技者に操作される本体部を備え、
前記変位手段は、前記本体部の所定箇所に対向配置された固定側部材を備え、
前記位置決め保持手段は、前記本体部及び前記固定側部材のいずれか一方に設けられた位置決め挿入部と、その他方に設けられた位置決め被挿入部とを備え、
前記位置固定手段は、固定時には、前記位置決め挿入部を前記位置決め被挿入部に前記操作手段の変位を不可とする第１挿入状態に挿入することで当該操作手段をその位置決め状態で固定し、
前記解除手段は、固定解除の場合には、前記位置決め挿入部を位置決め被挿入部に前記第１挿入状態よりも浅い挿入状態で且つ前記操作手段の変位が可能である第２挿入状態とするものである
ことを特徴とする請求項１に記載の遊技機。
【請求項３】
前記位置決め保持手段は、前記本体部に設けられたソレノイドの可動部材を前記位置決め挿入部とし且つ前記可動部材が挿入可能で前記固定側部材に複数形成された穴部を前記位置決め被挿入部とするものであり、
前記位置固定手段は、位置決めした前記本体部の前記可動部材が前記複数の穴部のうち対応する穴部に前記第１挿入状態で挿入することで当該本体部をその位置決め状態で固定し、
前記解除手段は、解除条件成立に基づいて前記可動部材を前記第２挿入状態にすることで前記位置固定手段による固定を解除する
ことを特徴とする請求項２に記載の遊技機。
【請求項４】
前記固定側部材は、前記本体部の後部に対向配置され、
前記位置決め保持手段は、前記本体部に設けられて前記固定側部材の方に付勢されたロックピンを前記位置決め挿入部とし且つ前記ロックピンが挿入可能で前記固定側部材に複数形成された穴部を前記位置決め被挿入部とするものであり、
前記本体部は、前方に向けて付勢され且つこの付勢力に抗して遊技者によって後方に押込み操作される押込み操作部と、前記押込み操作部の押込みに連動して前記ロックピンが前方に後退し且つ前記押込み操作部の付勢復帰に連動して前記ロックピンが後方に進出する連動手段とを備え、
前記位置固定手段は、前記押込み操作部の付勢復帰に連動して前記連動手段が前記ロックピンを前記第１挿入状態で前記穴部に挿入することで当該操作手段をその位置決め状態で固定し、
前記解除手段は、前記解除条件成立としての前記押込み操作部の押込みに基づいて前記連動手段が前記ロックピンを前記第２挿入状態にすることで前記位置固定手段による固定を解除する
ことを特徴とする請求項２に記載の遊技機。
【請求項５】
前記解除手段は、固定解除の場合に前記位置決め挿入部を前記第２挿入状態とするものであり、
前記固定側部材は、前記可動部材又は前記ロックピンを前記穴部に案内し且つ前記本体部と対向する面に前記穴部同士を結ぶように形成された案内凹部を備える
ことを特徴とする請求項３又は４に記載の遊技機。
【請求項６】
前記操作手段の固定を解除する解除入力指示を遊技者から受ける入力指示手段と、
前記入力指示手段からの解除信号を受けた場合に、前記操作手段の固定状態を解除期間において解除するように前記解除手段を制御する解除制御手段とを備える
ことを特徴とする請求項１〜５のいずれかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、遊技機本体の前側下部に発射ハンドルが突設されており、遊技者がこの発射ハンドルを操作することにより、発射手段による遊技球の発射動作の開始／停止の切り替え及び発射強度の調整を行うことができるようになっている。従って、遊技者は遊技を行っている間、長時間にわたってこの発射ハンドルを握った状態を維持しなければならない。
【０００３】
そこで、遊技者の身体的負担を軽減できるよう、遊技者が自分の体格等に合わせて発射ハンドルの向きを変更可能とした遊技機が提案されている。この遊技機では、発射ハンドルを所定の中心点廻りに揺動可能に支持すると共にその発射ハンドルを所定の姿勢で固定可能となっている（特許文献１）。
【先行技術文献】
【特許文献】
【０００４】
【特許文献１】特開２００１−３０００１９号公報
【発明の概要】
【発明が解決しようとする課題】
【０００５】
前述した遊技機では、発射ハンドルの向きを上下左右に無段階に変更可能であるが、発射ハンドルをその変更した向きを維持するように片手（例えば右手）で持ちながら、当該発射ハンドルの後側に設けられたＴ字状の押し込み操作部を反対の手（左手）で強く押し込む、あるいは、発射ハンドルの後側の押蓋を反対の手（左手）でねじ込むことで発射ハンドルを固定するため、かかる固定作業時に発射ハンドルの向きがずれた状態で固定されるという問題がある。
【０００６】
本発明は、上記事情に鑑みてなされたものであり、発射ハンドルを所定向きで保持でき、その向きでの固定ずれを低減でき、操作手段に対する不測の操作を防止することができる遊技機を提供することを目的とする。
【課題を解決するための手段】
【０００７】
本発明は、遊技に際して遊技者により遊技操作される操作手段１４を備える遊技機において、遊技者による変位操作に従って前記操作手段１４を基準状態とは異なる所定の変位状態に変位可能な変位手段６５と、前記操作手段１４を前記基準状態又は変位後状態で位置決め保持する位置決め保持手段５８と、前記位置決め保持手段５８で位置決め保持された前記操作手段１４をその位置決め状態で固定する位置固定手段５９と、解除条件成立に基づいて前記位置固定手段５９による固定を解除する解除手段６０とを備えるものである。
【０００８】
なお、操作手段１４としては、遊技球の発射操作のための発射ハンドル１４の他、ジョイスティック、タッチパネル、ステアリングコントローラ、操縦桿、押しボタン式操作装置、スライドレバー式操作装置などの各種コントローラ（入力装置）などが挙げられ、これらのコントローラは、遊技球の発射操作、遊技のための必須操作（例えば、スロットマシンのスタートレバー及びストップボタンの操作）、遊技内容に関連して行われる操作（例えば図柄変動表示手段などの表示装置に表示される遊技表示演出での案内に従って行われる操作）などに用いるものが挙げられる。また、操作手段１４の変位状態としては、所定の角度位置、距離位置などの設定状態が挙げられる。なお、基準状態は、遊技者の最も使用頻度の高い状態や標準的な状態などが挙げられる。基準状態として例えば基準角度位置を採用する場合には、遊技者の最も使用頻度の高い角度位置、標準的な角度位置などが挙げられる。
【０００９】
また、前記操作手段１４は、遊技者に操作される本体部６４を備え、前記変位手段６５は、前記本体部６４の所定箇所に対向配置された固定側部材１１６を備え、前記位置決め保持手段５８は、前記本体部６４及び前記固定側部材１１６のいずれか一方に設けられた位置決め挿入部１０１，１３０と、その他方に設けられた位置決め被挿入部１１２ａ〜１１５ｃとを備え、前記位置固定手段５９は、固定時には、前記位置決め挿入部１０１，１３０を前記位置決め被挿入部１１２ａ〜１１５ｃに前記操作手段１４の変位を不可とする第１挿入状態に挿入することで当該操作手段１４をその位置決め状態で固定し、前記解除手段６０は、固定解除の場合には、前記位置決め挿入部１０１，１３０を位置決め被挿入部１１２ａ〜１１５ｃに前記第１挿入状態よりも浅い挿入状態で且つ前記操作手段１４の変位が可能である第２挿入状態とするものである構成してもよい。
【００１０】
また、前記位置決め保持手段５８は、前記本体部６４に設けられたソレノイド１００の可動部材１０１を前記位置決め挿入部１０１とし且つ前記可動部材１０１が挿入可能で前記固定側部材１１６に複数形成された穴部１１２ａ〜１１５ｃを前記位置決め被挿入部１１２ａ〜１１５ｃとするものであり、前記位置固定手段５９は、位置決めした前記本体部６４の前記可動部材１０１が前記複数の穴部１１２ａ〜１１５ｃのうち対応する穴部に前記第１挿入状態で挿入することで当該本体部６４をその位置決め状態で固定し、前記解除手段６０は、解除条件成立に基づいて前記可動部材１０１を前記第２挿入状態にすることで前記位置固定手段５９による固定を解除する構成としてもよい。
【００１１】
また、前記固定側部材１１６は、前記本体部６４の後部に対向配置され、前記位置決め保持手段５８は、前記本体部６４に設けられて前記固定側部材１１６の方に付勢されたロックピン１３０を前記位置決め挿入部１３０とし且つ前記ロックピン１３０が挿入可能で前記固定側部材１１６に複数形成された穴部１１２ａ〜１１５ｃを前記位置決め被挿入部１１２ａ〜１１５ｃとするものであり、前記本体部６４は、前方に向けて付勢され且つこの付勢力に抗して遊技者によって後方に押込み操作される押込み操作部５６と、前記押込み操作部５６の押込みに連動して前記ロックピン１３０が前方に後退し且つ前記押込み操作部５６の付勢復帰に連動して前記ロックピン１３０が後方に進出する連動手段１４０とを備え、前記位置固定手段５９は、前記押込み操作部５６の付勢復帰に連動して前記連動手段１４０が前記ロックピン１３０を前記第１挿入状態で前記穴部１１２ａ〜１１５ｃに挿入することで当該操作手段１４をその位置決め状態で固定し、前記解除手段６０は、前記解除条件成立としての前記押込み操作部５６の押込みに基づいて前記連動手段１４０が前記ロックピン１３０を前記第２挿入状態にすることで前記位置固定手段５９による固定を解除する構成してもよい。
【００１２】
また、前記解除手段６０は、固定解除の場合に前記位置決め挿入部１０１，１３０を前記第２挿入状態とするものであり、前記固定側部材１１６は、前記可動部材１０１又は前記ロックピン１３０を前記穴部１１２ａ〜１１５ｃに案内し且つ前記本体部６４と対向する面に前記穴部１１２ａ〜１１５ｃ同士を結ぶように形成された案内凹部１２３，１２４を備える構成してもよい。
【００１３】
また、前記操作手段１４の固定を解除する解除入力指示を遊技者から受ける入力指示手段５６と、前記入力指示手段５６からの解除信号を受けた場合に、前記操作手段１４の固定状態を解除期間において解除するように前記解除手段６０を制御する解除制御手段１５０とを備える構成してもよい。
【００１４】
また、前記解除制御手段１５０による解除期間としては、以下の構成が挙げられる。（１）解除期間を一定期間とする構成、即ち前記解除制御手段１５０は、前記入力指示手段５６への解除入力指示から所定時間が経過するまでを前記解除期間とする構成としてもよい。（２）解除期間を再度入力指示があるまでとする構成：前記解除制御手段１５０は、前記入力指示手段５６への解除入力指示後から解除撤回指示までを前記解除期間とする構成としてもよい。（３）入力指示手段５６の操作中（例えばボタン押下中）の期間を解除期間とする構成：前記解除制御手段１５０は、前記入力指示手段５６に対して解除入力指示を継続している期間を前記解除期間とする。（４）操作手段１４の変位後からモニタ期間内に再度変位検知があればその時点から再びモニタ期間がカウントする構成：前記解除制御手段１５０は、前記操作手段１４を変位させた時からモニタ期間が経過するまでに再び当該操作手段１４の変位があった場合には、その最後の変位検出時点からモニタ期間が経過するまでを解除期間とする。
【発明の効果】
【００１５】
本発明によれば、発射ハンドルを所定向きで保持でき、その向きでの固定ずれを低減でき、操作手段に対する不測の操作を防止することができる。
【図面の簡単な説明】
【００１６】
【図１】本発明の第１の実施形態を示すパチンコ機の全体斜視図である。
【図２】同パチンコ機でガラス扉及び下部開閉扉を外した状態の正面図である。
【図３】同パチンコ機における下部開閉扉の平面図である。
【図４】同パチンコ機におけるハンドル角度調整手段及びその近傍の平面断面図である。
【図５】同パチンコ機におけるハンドル角度調整手段及びその近傍の側面断面図である。
【図６】同ハンドル角度調整手段の要部の拡大平面断面図である。
【図７】同パチンコ機におけるハンドル角度調整手段及びその近傍の正面断面図である。
【図８】同パチンコ機におけるガイド面の要部正面図である。
【図９】同パチンコ機におけるハンドル角度調整手段の分解斜視図である。
【図１０】本発明の第２の実施形態を示すパチンコ機における発射ハンドル及びその近傍の側面断面図である。
【図１１】同パチンコ機における発射ハンドルの解除制御を示すブロック図である。
【発明を実施するための形態】
【００１７】
以下、本発明の実施形態を図面に基づいて詳述する。図１〜図９は本発明をパチンコ機に適用した第１の実施形態を例示している。図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１８】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０には、発射手段８に供給するための遊技球を貯留する貯留皿１３、発射手段８を作動させるための発射ハンドル１４等が設けられている。
【００１９】
上部装着部５には、遊技盤６を装着するための遊技盤装着枠１５が設けられると共に、例えばその上端側には左右一対のスピーカ１６が着脱自在に装着されている。遊技盤６は、遊技盤装着枠１５に対して例えば前側から装着され、１又は複数の固定具１５ａにより着脱自在に固定されており、その前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、画像表示手段を備えたセンターケース２３の他、通過ゲート２４、開閉式入賞手段２５、大入賞手段２６、普通入賞手段２７等の各種遊技部品が装着されている。
【００２０】
下部装着部７には、その前側の例えば左右方向略中央に発射手段８が配置され、その発射手段８の左側には、図外の払い出し手段から払い出された遊技球を下部開閉扉１０側の貯留皿１３に排出するための払い出し口３１等が配置されている。
【００２１】
発射手段８は、図２に示すように、板金製の支持板３３と、この支持板３３の前面に装着された発射レール３４と、支持板３３の前面に装着され且つ発射用の遊技球を発射レール３４上に保持する球保持部３５と、支持板３３の前面で前後方向の駆動軸３６廻りに揺動自在に支持された打撃槌３７と、支持板３３の裏側に装着され且つ打撃槌３７を駆動軸３６を介して打撃方向に駆動するロータリソレノイド等の発射駆動手段３８とを備え、下部開閉扉１０側の発射ハンドル１４が操作されたときに、その操作量に応じて発射駆動手段３８により打撃槌３７を打撃方向（時計廻り）に連続的に駆動することにより、下部開閉扉１０側の貯留皿１３から発射レール３４上に供給された遊技球を発射レール３４に沿って打撃して遊技領域６ａ側に発射させるようになっている。
【００２２】
下部開閉扉１０は、図１及び図３に示すように、下部装着部７の前側に配置される台板４１と、この台板４１の前側上部に配置される貯留皿１３と、この貯留皿１３の前側から台板４１の略全体を覆う化粧カバー４２と、この化粧カバー４２の前側に突設される発射ハンドル１４と、発射動作と連動して貯留皿１３側の遊技球を発射レール３４上に一個ずつ供給する球送り手段４３と、ファール球を貯留皿１３側に案内するファール球返却手段４４とを備えている。
【００２３】
台板４１は、図３に示すように、例えば合成樹脂により下部装着部７を略覆う横長矩形状に形成され、その裏側には、球送り手段４３、ファール球返却手段４４等が着脱自在に装着されると共に、下部装着部７側の払い出し口３１に対応して払い出し案内樋４５が突設されており、払い出し手段（図示省略）からの遊技球が払い出し口３１から払い出し案内樋４５を経て前側の貯留皿１３に払い出されるようになっている。
【００２４】
貯留皿１３は、払い出し案内樋４５が設けられている左右方向の一端側、例えば左端側から他端側、例えば右端側に向けて緩やかに下る傾斜状に設けられ、その下流側が球送り手段４３に連通している。
【００２５】
化粧カバー４２は、貯留皿１３の前側を覆う貯留皿カバー部５１と、貯留皿１３の下側から左右両側で台板４１の前側を覆う前カバー部５２とを一体又は別体に備えている。貯留皿カバー部５１は、貯留皿１３の形状に合わせて前向き膨出状に形成されており、その前側に貸し球操作部５３、球抜き操作部５４、演出操作部５５等が設けられている。
【００２６】
発射ハンドル１４は、図４、図５に示すように、前カバー部５２に形成されたハンドル挿通孔５２ａを介して前側に突出するハンドルベース６１、このハンドルベース６１の前側に例えばハンドルベース６１の中心軸（以下、ハンドル軸という）廻りに回動可能に支持された回転操作部（発射操作部）６２及びこの回転操作部６２の前側を覆うハンドルキャップ６３を有するハンドル本体部６４を備え、台板４１の後側に装着されたハンドル角度調整手段６５によりハンドル軸の方向を調整可能な状態で支持されている。
【００２７】
ハンドルベース６１は、例えば略円筒状の支持脚部６６と、この支持脚部６６の前端側に設けられた略椀形の機構収容部６７とを一体に備え、支持脚部６６の後端側がハンドル角度調整手段６５により支持されている。機構収容部６７には、回転操作部６２の回転角度を検出するための可変抵抗器６８、遊技者が回転操作部６２に触れているか否かを検出するためのタッチセンサ６９等が収容されると共に、発射手段８のＯＮ／ＯＦＦを切り替えるための停止操作レバー７０が例えば回転操作部６２の後側で周方向外向きに突設されている。
【００２８】
回転操作部６２は、機構収容部６７の外周に沿う略円環状で、外周面に複数の指掛け部６２ａが突設されると共に、例えばその外表面全体に導電性メッキが施されてタッチセンサ６９と導通しており、戻しバネ（図示省略）により反操作方向（反時計方向）に付勢されている。そして、遊技者によって回転操作部６２が時計方向に回転操作されたとき、その回転角度に対応する発射強度で発射駆動手段３８が作動するようになっている。なお、回転操作部６２が回転した状態であってもタッチセンサ６９による検出がなければ発射手段８は作動せず、また回転操作部６２が非操作状態のとき、即ち戻しバネの付勢により原点位置に保持されているとき、当該回転操作部６２の所定部位により停止操作レバー７０が押されて発射手段８がＯＦＦになるように構成されている。
【００２９】
また、発射ハンドル１４は、当該発射ハンドル１４の向き固定を解除する解除入力指示を遊技者から受ける解除指示ボタン５６が配設されており、その先端部分がハンドルキャップ６３から突出した状態となっている。解除指示ボタン５６は、ラッチ式の押しボタンであり、押し操作（以下、適宜に「押込み操作」と呼ぶ）されると押し方向へ後退し、そのスイッチ部５６ａがＯＮとなり、後述するソレノイド１００が通電され、もう一度押し操作（以下、適宜に「押戻し操作」と呼ぶ）されると戻りバネ５７によって戻り位置に復帰し、そのスイッチ部５６ａがＯＦＦとなり、ソレノイド１００が非通電となる。
【００３０】
ハンドル角度調整手段６５は、発射ハンドル１４の突出方向、即ちハンドル軸の向きを調整するためのもので、例えば下部開閉扉１０に固定されるベース体７１と、このベース体７１により左右方向の横回転軸（第１回転軸）Ａｘ廻りに回転可能に支持される外回転体（第１回転体）７２と、この外回転体７２により上下方向の縦回転軸（第２回転軸）Ａｙ廻りに回転可能に支持される内回転体（第２回転体）７３と、この内回転体７３に設けられ且つ先端側が略半球状としたプランジャー１０１（位置決め挿入部）を進退自在なソレノイド１００（位置固定手段）と、例えばベース体７１に固定され且つソレノイド１００のプランジャー１０１が挿入可能で例えば貫通形成された複数（例えば１２個）の位置決め孔部１１２ａ〜１１２ｃ，１１３ａ〜１１３ｃ，１１４ａ〜１１４ｃ，１１５ａ〜１１５ｃ（位置決め被挿入部）が形成されたガイド部材１１６（固定側部材）とを備え、内回転体７３に発射ハンドル１４が固定されている。
【００３１】
また、このハンドル角度調整手段６５は、発射ハンドル１４を基準状態又は変位後状態で位置決め保持する位置決め保持手段５８と、位置決め保持手段５８で位置決め保持された発射ハンドル１４をその位置決め状態で固定する位置固定手段５９と、解除指示ボタン５６への解除指示入力（解除条件成立）に基づいて位置固定手段５９による固定を解除する解除手段６０とを備えている。
【００３２】
なお、発射ハンドル１４の基準状態とは、ソレノイド１００のプランジャー１０１が位置決め孔部１１３ｂに挿入された状態であり、発射ハンドル１４の変位後状態とは、ソレノイド１００のプランジャー１０１が位置決め孔部１１３ｂ以外の位置決め孔部１１２ａ〜１１２ｃ，１１３ａ，１１３ｃ，１１４ａ〜１１４ｃ，１１５ａ〜１１５ｃに挿入された状態である。
【００３３】
この位置決め保持手段５８としては、図４〜図６に破線で示す吸引状態のプランジャー１０１が位置決め孔部１１２ａ〜１１２ｃ，１１３ａ〜１１３ｃ，１１４ａ〜１１４ｃ，１１５ａ〜１１５ｃの何れかに浅く挿入する構成が対応する。また、位置固定手段５９としては、位置決め孔部１１２ａ〜１１２ｃ，１１３ａ〜１１３ｃ，１１４ａ〜１１４ｃ，１１５ａ〜１１５ｃの何れかに浅く挿入されていたプランジャー１０１をさらに進出させて図４〜図６に実線や二点鎖線で示すように深く挿入する構成が対応する。また、解除手段６０としては、解除指示ボタン５６の押込み操作に基づいてソレノイド１００のプランジャー１０１を深い挿入状態から浅い挿入状態にする構成が対応する。
【００３４】
ベース体７１は、図４、図９に示すように、例えば左右一対の側壁７４ａ，７４ｂと背壁７４ｃとで平面視略コの字型に形成されており、例えば側壁７４ａ，７４ｂの前縁側に一体に設けられたフランジ７６において図４に示す下部開閉扉１０の台板４１の背面側に固定ねじ７７等により着脱自在に固定されている。また、側壁７４ａ，７４ｂの例えば前端部近傍には、左右方向に対応する一対の横軸受け孔７８ａ，７８ｂが形成されている。
【００３５】
外回転体７２は、例えば上下左右の周壁８１ａ〜８１ｄと前壁８２とを一体に備えた略箱形で、前壁８２上には発射ハンドル１４のハンドルベース６１を前後に挿通させるための開口部８３が形成されており、左右の周壁８１ｃ，８１ｄがベース体７１側の側壁７４ａ，７４ｂの内側に沿うようにベース体７１内に配置されている。また、左右の周壁８１ｃ，８１ｄの例えば前端部近傍には、ベース体７１側の横軸受け孔７８ａ，７８ｂにそれぞれ回転自在に装着された横軸部材８４ａ，８４ｂが、例えばベース体７１の外側から軸固定ねじ８５ａ，８５ｂにより着脱自在に固定されている。これにより、外回転体７２はベース体７１に対して横軸受け孔７８ａ，７８ｂの中心を通る横回転軸Ａｘ廻りに回転可能となっている。
【００３６】
また、上下の周壁８１ａ，８１ｂの例えば前端部近傍には、上下方向に対応する一対の縦軸受け孔８６ａ，８６ｂが形成されている。これら縦軸受け孔８６ａ，８６ｂは、それらの中心を通る直線（縦回転軸Ａｙ）が、ベース体７１側の横軸受け孔７８ａ，７８ｂの中心を通る直線（横回転軸Ａｘ）と交点Ｃにおいて直交するように配置されている。
【００３７】
内回転体７３は、外回転体７２側の周壁８１ａ〜８１ｄの内側にそれぞれ対向するように配置される上下左右の内周壁８７ａ〜８７ｄと、外回転体７２側の前壁８２の内側（後側）に対向するように配置される内前壁８８とを一体に備えた略箱形で、発射ハンドル１４の後端部が、外回転体７２側の開口部８３を介してその後側の内前壁８８に着脱可能に固定されている。また、上下の内周壁８７ａ，８７ｂの例えば前端部近傍には、外回転体７２側の縦軸受け孔８６ａ，８６ｂにそれぞれ回転自在に装着された縦軸部材８９ａ，８９ｂが、例えば外回転体７２の外側から軸固定ねじ９０ａ，９０ｂにより着脱自在に固定されている。これにより、内回転体７３は外回転体７２に対して縦軸受け孔８６ａ，８６ｂの中心を通る縦回転軸Ａｙ廻りに回転可能となっている。
【００３８】
また、内回転体７３の内前壁８８は、縦回転軸Ａｙ廻りに回転したときの外回転体７２側の開口部８３との隙間が常に小さく保たれるように、例えばその上下の縁部は開口部８３の上下の縁部と近接しており、また左右両縁部は例えば外向きに突出すると共にその端面は常に開口部８３の左右の縁部に近接するように縦回転軸Ａｙを中心とする略円筒面状に形成されている。
【００３９】
内回転体７３の後端側には、図４、図５及び図９に示すように、背壁１１７を介してソレノイド１００が固定されている。このソレノイド１００は、強磁性体で進退可能なプランジャー１０１（可動鉄芯）及びこのプランジャー１０１の後端側に固定配置された固定鉄芯１０２を磁芯とし、絶縁材料で形成されてプランジャー１０１が挿入可能な筒状のボビン１０３と、このボビン１０３に絶縁銅線を巻いて電流を流すことにより磁気を発生するコイル１０４と、このコイル１０４により発生した磁気を効率よく通す磁気回路を形成するための強磁性体からなるフレーム１０５と、プランジャー１０１を先端側に突出するように付勢する戻りスプリング１０６とを備え、先端部が例えばベース体７１の背壁７４ｃに形成された開口部１２１を介して後ろ側に突出するように、交点Ｃを中心とする半径方向に沿って配置されている。
【００４０】
ガイド部材１１６は、後ろ向きに膨出する略皿型に形成され、開口部１２１を略覆うようにベース体７１の背壁７４ｃの後側に固定されており、その前面側が交点Ｃを中心とする球面状のガイド面１２２となっている。
【００４１】
ソレノイド１００のプランジャー１０１は、解除指示ボタン５６が押込み操作されて当該ソレノイド１００が通電状態となると、戻りスプリング１０６の付勢力に抗してフレーム１０５の方へ吸引され、フレーム１０５の開口１１８ａから外側に一部が少し突出した状態（図４〜図６に破線で示すプランジャー１０１の吸引状態）でガイド面１２２に圧接され、遊技者が発射ハンドル１４の向きを変更する外力を受けることによる内回転体７３の交点Ｃ廻りの回転に伴ってガイド面１２２上を摺動する。なお、プランジャー１０１の先端側が略半球状となっているので、ガイド面１２２上を摺動し易い。また、プランジャー１０１の先端に回転可能なボールを回転可能に保持する構成とし、かかるボールがガイド面１２２に摺動して回転することでプランジャー１０１が摺動し易い構成としてもよい。
【００４２】
ガイド部材１１６のガイド面１２２には、図８に示すように、例えば１２個の位置決め孔部１１２ａ〜１１２ｃ，１１３ａ〜１１３ｃ，１１４ａ〜１１４ｃ，１１５ａ〜１１５ｃがそれぞれ貫通形成されている。位置決め孔部１１２ａ〜１１２ｃ，１１３ａ〜１１３ｃ，１１４ａ〜１１４ｃ，１１５ａ〜１１５ｃは、解除指示ボタン５６への押込み操作によりソレノイド１００が通電状態となると当該ソレノイド１００のプランジャー１０１が吸引されて当該プランジャー１０１が浅く挿入された状態（図４〜図６に破線で示すプランジャー１０１の後退状態）となり、解除指示ボタン５６への押戻し操作により当該ソレノイド１００が非通電状態となるとプランジャー１０１が進出して当該プランジャー１０１が深く挿入された状態（図４〜図６に実線及び二点鎖線で示すプランジャー１０１の進出状態）となる。
【００４３】
位置決め孔部１１２ａ〜１１２ｃは、縦回転軸Ａｙ廻りのハンドル軸の向きが斜め左（左向き）の状態に対応するもので、それぞれ横回転軸Ａｘ廻りのハンドル軸の向きが斜め上（上向き）、水平、斜め下（下向き）となったときにソレノイド１００のプランジャー１０１が挿入される位置に設けられている。他の４組の位置決め孔部１１３ａ〜１１３ｃ，１１４ａ〜１１４ｃ，１１５ａ〜１１５ｃについても同様で、それぞれ縦回転軸Ａｙ廻りのハンドル軸の向きが前、斜め右（第１右向き）、大きく斜め右（第２右向き）に対応しており、位置決め孔部１１３ａ，１１４ａ，１１５ａは横回転軸Ａｘ廻りのハンドル軸の向きが斜め上（上向き）となったとき、位置決め孔部１１３ｂ，１１４ｂ，１１５ｂは同じくハンドル軸の向きが水平となったとき、位置決め孔部１１３ｃ，１１４ｃ，１１５ｃは同じくハンドル軸の向きが斜め下（下向き）となったときにソレノイド１００のプランジャー１０１が挿入される位置に設けられている。
【００４４】
また、ガイド面１２２上には、図８に示すように、横回転軸Ａｘ廻りの複数の回転位置に対応する複数の位置決め孔部１１２ａ〜１１２ｃ，１１３ａ〜１１３ｃ，１１４ａ〜１１４ｃ，１１５ａ〜１１５ｃをそれぞれ縦回転軸Ａｙ廻りの周方向に接続する横溝１２３（案内凹部）と、縦回転軸Ａｙ廻りの複数の回転位置に対応する複数の位置決め孔部１１２ａ〜１１２ｃ，１１３ａ〜１１３ｃ，１１４ａ〜１１４ｃ，１１５ａ〜１１５ｃをそれぞれ横回転軸Ａｘ廻りの周方向に接続する縦溝１２４（案内凹部）とが形成されている。
【００４５】
これら横溝１２３及び縦溝１２４は、ソレノイド１００のプランジャー１０１先端が挿入（嵌入）可能な例えばその溝方向と直交する方向での断面形状が円弧状に形成され且つ図６に示すようにその溝長さ方向での中間箇所（例えば両位置決め孔部１１２ａ，１１２ｂの縦溝１２４の中間箇所）が最も浅くなるように形成されている。横溝１２３及び縦溝１２４は、両側ほど深く中央ほど浅くなっている（例えば縦溝１２４は両位置決め孔部１１２ａ，１１２ｂに近いほど深くその中間が浅くなっている）が、その深さは各位置決め孔部１１２ａ〜１１２ｃ，１１３ａ〜１１３ｃ，１１４ａ〜１１４ｃ，１１５ａ〜１１５ｃに吸引状態のプランジャー１０１が挿入された状態（図６に破線で示すプランジャー１０１の後退状態）よりも浅くなっている。即ち、横溝１２３及び縦溝１２４は、ソレノイド１００の吸引状態（後退状態）のプランジャー１０１が各位置決め孔部１１２ａ〜１１２ｃ，１１３ａ〜１１３ｃ，１１４ａ〜１１４ｃ，１１５ａ〜１１５ｃよりもさらに後退させた状態で位置して、それぞれ縦回転軸Ａｙ、横回転軸Ａｘ廻りに案内するようになっている。なおここでは、前述した横溝１２３及び縦溝１２４はその溝長さ方向での中間箇所が最も浅くなるとしているが、当該溝長さ方向で一定の深さとしてもよい。
【００４６】
前述したように解除指示ボタン５６への押込み操作によりソレノイド１００が通電状態となると当該ソレノイド１００のプランジャー１０１が吸引状態（後退状態）となり、戻りスプリング１０６は縮んだ状態となり、このプランジャー１０１の後端側が固定鉄芯１０２に僅かに間隔を空けた状態で維持されているが、当該プランジャー１０１をさらに後退する方向に外力を加えることで戻りスプリング１０６がさらに縮んだ状態となり得ることから、図６に破線で示すプランジャー１０１の後退状態よりもさらに後退した一点鎖線で示すプランジャー１０１が横溝１２３及び縦溝１２４に位置して各位置決め孔部１１２ａ〜１１２ｃ，１１３ａ〜１１３ｃ，１１４ａ〜１１４ｃ，１１５ａ〜１１５ｃに案内可能となっている。なお、プランジャー１０１の吸引状態において戻りスプリング１０６が完全に縮んでしまい当該プランジャー１０１の後端側が固定鉄芯１０２に接触する構成の場合には、ソレノイド１００自体をバネなどの弾性体を介して内回転体７３に配設する構成とすることで、吸引状態において外力を受けることでソレノイド１００自体が僅かに後退するようにしてもよい。
【００４７】
なお、外回転体７２のベース体７１に対する横回転軸Ａｘ廻りの揺動は、図示しない規制手段により、ハンドル軸が上向きとなる状態から下向きとなる状態までの範囲、又はそれよりも若干広い範囲内に規制されているものとする。また、内回転体７３の外回転体７２に対する縦回転軸Ａｙ廻りの揺動は、図示しない規制手段により、ハンドル軸が左向きとなる状態から第２右向きとなる状態までの範囲、又はそれよりも若干広い範囲内に規制されているものとする。
【００４８】
以上のように構成された本実施形態のパチンコ機では、遊技に際して遊技者により回転操作（遊技操作）される発射ハンドル１４と、遊技者による向き変更操作（変位操作）に従って発射ハンドル１４を基準状態（プランジャー１０１が位置決め孔部１１３ｂに位置する状態）とは異なる所定の変位状態（位置決め孔部１１３ｂ以外の位置決め孔部に位置する状態）に変位可能なハンドル角度調整手段６５と、発射ハンドル１４を基準状態又は変位後状態で位置決め保持する位置決め保持手段５８と、この位置決め保持手段５８で位置決め保持された発射ハンドル１４をその位置決め状態で固定する位置固定手段５９と、解除条件成立としての解除指示入力に基づいて位置固定手段５９による固定を解除する解除手段６０とを備えている。
【００４９】
したがって、位置固定手段５９による固定を解除した状態では、遊技者による向き変更操作に従って発射ハンドル１４を基準状態（プランジャー１０１が位置決め孔部１１３ｂに位置する状態）又は当該基準状態とは異なる所定の変位状態（位置決め孔部１１３ｂ以外の位置決め孔部に位置する状態）に変位可能であり、発射ハンドル１４を基準状態や変位後状態で位置決めできる。しかも、遊技者が発射ハンドル１４から手を離しても当該発射ハンドル１４が位置決めされた状態が保持されるので、この位置決め保持した状態で発射ハンドル１４を固定でき、発射ハンドル１４の位置決め固定ズレを低減できる。さらに、位置固定手段５９によって発射ハンドル１４が位置決めされた状態で固定されるので、遊技者が誤って発射ハンドル１４を変位操作することを低減でき、発射ハンドル１４に対する不測の操作を防止することができる。
【００５０】
また、発射ハンドル１４は、遊技者に操作されるハンドル本体部６４を備え、ハンドル角度調整手段６５は、ハンドル本体部６４の所定箇所（後方箇所）に対向配置されたガイド部材１１６を備え、位置決め保持手段５８は、ハンドル本体部６４に設けられたプランジャー１０１と、ガイド部材１１６に設けられた位置決め孔部１１２ａ〜１１２ｃ，１１３ａ〜１１３ｃ，１１４ａ〜１１４ｃ，１１５ａ〜１１５ｃとを備え、位置固定手段５９は、固定時には、プランジャー１０１を位置決め孔部１１２ａ〜１１２ｃ，１１３ａ〜１１３ｃ，１１４ａ〜１１４ｃ，１１５ａ〜１１５ｃに発射ハンドル１４の変位を不可とする第１挿入状態（深い挿入状態）に挿入することで当該発射ハンドル１４をその位置決め状態で固定し、解除手段６０は、固定解除の場合には、プランジャー１０１を位置決め孔部１１２ａ〜１１２ｃ，１１３ａ〜１１３ｃ，１１４ａ〜１１４ｃ，１１５ａ〜１１５ｃに第１挿入状態よりも浅い挿入状態で且つ発射ハンドル１４の変位が可能である第２挿入状態（浅い挿入状態）とするものである。
【００５１】
したがって、位置固定手段５９は、固定時には、プランジャー１０１が位置決め孔部１１２ａ〜１１２ｃ，１１３ａ〜１１３ｃ，１１４ａ〜１１４ｃ，１１５ａ〜１１５ｃに発射ハンドル１４の変位が不可な第１挿入状態に挿入されているので、発射ハンドル１４が位置決め状態で固定でき、発射ハンドル１４に対する不測の操作を防止することができる。また、固定解除の場合には、プランジャー１０１が位置決め孔部１１２ａ〜１１２ｃ，１１３ａ〜１１３ｃ，１１４ａ〜１１４ｃ，１１５ａ〜１１５ｃに発射ハンドル１４の変位が可能で挿入が浅い第２挿入状態となっているので、遊技者は発射ハンドル１４を他の位置決め状態に変位調整できる。また、プランジャー１０１が位置決め孔部１１２ａ〜１１２ｃ，１１３ａ〜１１３ｃ，１１４ａ〜１１４ｃ，１１５ａ〜１１５ｃに浅くかかるので、発射ハンドル１４の変位状態の変更に際して位置決め位置を知ることができ、位置決め変更し易い。また、遊技者が発射ハンドル１４から手を離しても当該発射ハンドル１４が位置決めされた状態が保持されるので、この位置決め保持した状態で発射ハンドル１４を固定でき、発射ハンドル１４の位置決め固定ズレを低減できる。
【００５２】
また、解除手段６０は、固定解除の場合にプランジャー１０１を第２挿入状態とするものであり、ガイド部材１１６は、プランジャー１０１を位置決め孔部１１２ａ〜１１２ｃ，１１３ａ〜１１３ｃ，１１４ａ〜１１４ｃ，１１５ａ〜１１５ｃに案内し且つハンドル本体部６４と対向する面に位置決め孔部１１２ａ〜１１２ｃ，１１３ａ〜１１３ｃ，１１４ａ〜１１４ｃ，１１５ａ〜１１５ｃ同士を結ぶように形成された横溝１２３，縦溝１２４を備えている。したがって、位置固定手段５９による固定を解除して、遊技者による変位操作に従って発射ハンドル１４を所望の変位状態に変位させる際に、ハンドル本体部６４のプランジャー１０１がガイド部材１１６の横溝１２３，縦溝１２４により位置決め孔部１１２ａ〜１１２ｃ，１１３ａ〜１１３ｃ，１１４ａ〜１１４ｃ，１１５ａ〜１１５ｃへ案内されるので、プランジャー１０１を位置決め孔部１１２ａ〜１１２ｃ，１１３ａ〜１１３ｃ，１１４ａ〜１１４ｃ，１１５ａ〜１１５ｃに導き易い。また、ハンドル本体部６４を横溝１２３，縦溝１２４に従った経路で変位させることができ、遊技者はハンドル本体部６４の変位操作を案内されてその位置決め孔部１１２ａ〜１１２ｃ，１１３ａ〜１１３ｃ，１１４ａ〜１１４ｃ，１１５ａ〜１１５ｃに挿入することができ、確実に位置決め固定することができる。
【００５３】
また、発射ハンドル１４はハンドル角度調整手段６５によって横回転軸Ａｘ廻り及び縦回転軸Ａｙ廻りにそれぞれ揺動可能に保持されており、従って発射ハンドル１４は横回転軸Ａｘと縦回転軸Ａｙとの交点Ｃを中心としてその向きを所定範囲内で自由に変更可能であると共に、ソレノイド１００の後退状態のプランジャー１０１が位置決め孔部１１２ａ〜１１２ｃ，１１３ａ〜１１３ｃ，１１４ａ〜１１４ｃ，１１５ａ〜１１５ｃの何れかに挿入（嵌入）することにより、予め定められた全１２方向の何れかにおいて発射ハンドル１４の向きが保持される。また、そのプランジャー１０１を進出状態として位置決め孔部１１２ａ〜１１２ｃ，１１３ａ〜１１３ｃ，１１４ａ〜１１４ｃ，１１５ａ〜１１５ｃに深く挿入する（貫通させる）ことにより、その箇所で固定することができる。
【００５４】
遊技者は、発射ハンドル１４の解除指示ボタン５６を押込み操作し、ソレノイド１００のプランジャー１０１を後退状態（吸引状態）とした上で、発射ハンドル１４を任意の方向に強く倒し、ソレノイド１００のプランジャー１０１の嵌入先を他の位置決め孔部１１２ａ〜１１２ｃ，１１３ａ〜１１３ｃ，１１４ａ〜１１４ｃ，１１５ａ〜１１５ｃに切り替えることにより、発射ハンドル１４の向きを自分の体格等に合わせて変更することができる。このとき、例えば横回転軸Ａｘ廻りの向きについてはプランジャー１０１が横溝１２３に嵌入して案内され、縦回転軸Ａｙ廻りの向きについてはプランジャー１０１が縦溝１２４に嵌入して案内されるため、まず最初は例えば縦方向の向きを維持した状態で横方向の向きのみを変更し、次にその変更後の横方向の向きを維持した状態で縦方向の向きのみを変更することにより（もちろん逆でも可）、発射ハンドル１４を自分に合った向きに容易且つ短時間で調整することが可能である。しかも、ハンドル角度調整手段６５によって保持される発射ハンドル１４の向きは予め定められた所定数（ここでは１２方向）に限定されており、必ずそれらの何れかの向きで保持されるため、一度ハンドルの向きを変更した後も元の向きに容易に戻すことが可能である。
【００５５】
図１０は本発明の第２の実施形態を例示し、第１の実施形態における解除手段６０の構成を変更した例を示している。本実施形態に関する以下の説明で特に言及しない構成については第１の実施形態と同様であるとする。
【００５６】
第２の実施形態の解除手段６０は、前述の第１の実施形態のソレノイド１００に替えて、解除指示ボタン５６の押込み操作に連動してハンドル本体部６４の後端のラッチ部１３０（ロックピン）を位置決め孔部１１２ａ〜１１２ｃ，１１３ａ〜１１３ｃ，１１４ａ〜１１４ｃ，１１５ａ〜１１５ｃに浅く挿入した状態（第２挿入状態）とし且つ解除指示ボタン５６の押戻し操作に連動してラッチ部１３０を位置決め孔部１１２ａ〜１１２ｃ，１１３ａ〜１１３ｃ，１１４ａ〜１１４ｃ，１１５ａ〜１１５ｃに深く挿入した状態（第１挿入状態）とする連動手段１４０を備えている点が前述の第１の実施形態と異なっている。
【００５７】
連動手段１４０は、解除指示ボタン５６の後方に突出する突出ピン１４１が当該解除指示ボタン５６の押込み操作により前端側に当接して後方に押される棒状の第１ラック１４２と、後端箇所にラッチ部１３０を後方に向けて支持する棒状の第２ラック１４３と、第１ラック１４２を第２ラック１４３をその歯側を相対向させた状態で内部に配設され且つ第１ラック１４２を案内するラックガイド１４４と、この第１ラック１４２と第２ラック１４３との間に位置し且つ第１ラック１４２及び第２ラック１４３にそれぞれ歯合するように軸支されたピニオン１４５と、第１ラック１４２が後方に押し出された場合に伸びて前方への付勢力が生じ且つ当該第１ラック１４２が押し出されていない場合に自然長であるラックバネ１４６とを備えている。
【００５８】
ラッチ部１３０は、第２ラック１４３の後端箇所に後方に向けて支持され且つ各位置決め孔部１１２ａ〜１１２ｃ，１１３ａ〜１１３ｃ，１１４ａ〜１１４ｃ，１１５ａ〜１１５ｃに後端側が挿入可能なラッチ部１３０と、ラッチ部１３０を案内するラッチガイド１３１と、ラッチ部１３０を後方に付勢するラッチバネ１３２と、を備えている。
【００５９】
解除指示ボタン５６が押込み操作されると、この解除指示ボタン５６の突出ピン１４１が第１ラック１４２の前端側に当接して当該第１ラック１４２が後方にスライド移動する。この第１ラック１４２の後方へのスライド移動によりピニオン１４５が回転（図１０では時計回りに回転）し、この回転により第２ラック１４３が前方にスライド移動する。この第２ラック１４３の後端箇所に設けられたラッチ部１３０が位置決め孔部１１２ａ〜１１２ｃ，１１３ａ〜１１３ｃ，１１４ａ〜１１４ｃ，１１５ａ〜１１５ｃのうち対応する位置決め孔部に深く挿入された状態（第１挿入状態）から浅く挿入された状態（第２挿入状態）に変位する。この状態では、前述した第１の実施形態のように発射ハンドル１４の向きが変更可能である。
【００６０】
そして、解除指示ボタン５６が押戻し操作されると、この解除指示ボタン５６の突出ピン１４１の第１ラック１４２への押込みが解除され、ラックバネ１４６の付勢力により第１ラック１４２が前方にスライド移動する。この第１ラック１４２の前方へのスライド移動によりピニオン１４５が回転（図１０では反時計回りに回転）し、この回転により第２ラック１４３が後方にスライド移動する。この第２ラック１４３の後端箇所に設けられたラッチ部１３０が位置決め孔部１１２ａ〜１１２ｃ，１１３ａ〜１１３ｃ，１１４ａ〜１１４ｃ，１１５ａ〜１１５ｃのうち対応する位置決め孔部に浅く挿入された状態（第２挿入状態）から深く挿入された状態（第１挿入状態）に変位する。この状態では、前述した第１の実施形態のように発射ハンドル１４の向きが変更不可能である。
【００６１】
以上説明した第２の実施形態のパチンコ機では、ガイド部材１１６は、ハンドル本体部６４の後部に対向配置され、位置決め保持手段５８は、ハンドル本体部６４に設けられてガイド部材１１６の方に付勢されたラッチ部１３０と、このラッチ部１３０が挿入可能でガイド部材１１６に複数形成された位置決め孔部１１２ａ〜１１２ｃ，１１３ａ〜１１３ｃ，１１４ａ〜１１４ｃ，１１５ａ〜１１５ｃとを備え、ハンドル本体部６４は、前方に向けて付勢され且つこの付勢力に抗して遊技者によって後方に押込み操作される解除指示ボタン５６と、解除指示ボタン５６の押込みに連動してラッチ部１３０が前方に後退し且つ解除指示ボタン５６の付勢復帰に連動してラッチ部１３０が後方に進出する連動手段１４０とを備え、位置固定手段５９は、解除指示ボタン５６の付勢復帰に連動して連動手段１４０がラッチ部１３０を第１挿入状態（深い挿入状態）で位置決め孔部１１２ａ〜１１２ｃ，１１３ａ〜１１３ｃ，１１４ａ〜１１４ｃ，１１５ａ〜１１５ｃの何れかに挿入することで発射ハンドル１４をその位置決め状態で固定し、解除手段６０は、解除条件成立としての解除指示ボタン５６の押込みに基づいて連動手段１４０がラッチ部１３０を第２挿入状態（浅い挿入状態）にすることで位置固定手段５９による固定を解除する。
【００６２】
したがって、ハンドル本体部６４の解除指示ボタン５６を押し込むことでハンドル本体部６４のラッチ部１３０がガイド部材１１６の位置決め孔部１１２ａ〜１１２ｃ，１１３ａ〜１１３ｃ，１１４ａ〜１１４ｃ，１１５ａ〜１１５ｃから抜ける方向に後退し、ラッチ部１３０が第２挿入状態（浅い挿入状態）となり、発射ハンドル１４の位置決め固定が解除される。また、解除指示ボタン５６から手を離すと、解除指示ボタン５６が戻りバネ５７の付勢力で前方に戻り、この付勢復帰に連動してハンドル本体部６４のラッチ部１３０がガイド部材１１６の位置決め孔部１１２ａ〜１１２ｃ，１１３ａ〜１１３ｃ，１１４ａ〜１１４ｃ，１１５ａ〜１１５ｃのうち対応する位置決め孔部に進出し、ラッチ部１３０が第１挿入状態（深い挿入状態）となり、発射ハンドル１４の位置決め固定される。つまり、位置固定手段５９として電気部品及びその配線を使用しないので、発射ハンドル１４の製造時などにおいて位置固定手段５９のための電気配線の引き回し作業や当該配線の噛み込みのおそれなどを解消でき、簡易な構成で位置決め固定手段を実現できる。
【００６３】
以上、本発明の実施形態について詳述したが、本発明はこれらの実施形態に限定されるものではなく、本発明の趣旨を逸脱しない範囲で種々の変更が可能である。
【００６４】
なお、前述の各実施形態では、操作手段として、遊技球の発射操作のための発射ハンドル１４を例に挙げて説明しているが、発射ハンドル１４の以外に、ジョイスティック、タッチパネル、ステアリングコントローラ、操縦桿、押しボタン式操作装置、スライドレバー式操作装置などの各種コントローラ（入力装置）などが挙げられる。また、これらのコントローラは、遊技球の発射操作、遊技のための必須操作（例えば、スロットマシンのスタートレバー及びストップボタンの操作）、遊技内容に関連して行われる操作（例えば表示装置に表示される遊技表示演出での案内に従って行われる操作）などに用いるものが挙げられる。
【００６５】
また、発射ハンドル１４（操作手段）の変位状態としては、前述した各実施形態のように所定の角度位置（所定の向き）を例示しているが、操作手段（例えば発射ハンドル１４）がスライド変位可能な場合にはその距離位置（スライド位置）などの設定状態が挙げられる。
【００６６】
なお、前述した各実施形態では、プランジャー１０１が位置決め孔部１１３ｂに挿入される発射ハンドル１４の基準状態は、遊技機（又は遊技者）にとって標準的な状態としているが、遊技者の最も使用頻度の高い状態などを基準状態に設定してもよい。例えば、発射ハンドル１４の基準状態として、遊技者の最も使用頻度の高い角度位置（向き）を採用してもよい。
【００６７】
なお、図１１に示すように、遊技動作を統括的に制御する主制御基板１５０（解除制御手段）は、解除指示ボタン５６からの解除信号を受けた場合に、発射ハンドル１４の固定状態を解除期間において解除するように解除手段６０を制御する機能を備えるようにしてもよい。なお、当該機能を主制御基板１５０以外の制御基板（例えば、主制御基板１５０からの各種の制御コマンドに基づいて画像表示・音声出力制御を行うサブ制御基板など）に備えるようにしてもよい。
【００６８】
例えば、解除期間を一定期間とする構成が挙げられる。具体的には、主制御基板１５０は、解除指示ボタン５６への解除入力指示から所定時間が経過するまでを計時するタイマ１５１と、このタイマ１５１で前記所定期間の経過が計時されるまで発射ハンドル１４の固定解除を維持するようにソレノイド１００への通電を制御する解除制御部１５２とを備える。この場合には、解除入力指示から所定時間経過まで発射ハンドル１４の固定が解除され、発射ハンドル１４の変位操作が可能となる。また、所定時間経過後は発射ハンドル１４が位置決め状態で自動的に固定され、わざわざ位置決め固定手段に固定指示する必要がない。
【００６９】
次に例えば、解除期間を再度入力指示があるまでとする構成が挙げられる。具体的には、主制御基板１５０は、解除指示ボタン５６への解除入力指示から後から解除撤回指示まで発射ハンドル１４の固定解除を維持するようにソレノイド１００への通電を制御する解除制御部１５２とを備える。この場合には、解除入力指示から解除撤回指示までの解除期間において発射ハンドル１４の固定が解除され、発射ハンドル１４の変位操作が可能となる。また、遊技者が発射ハンドル１４を所望に変位状態等（基準状態を含む）に変位設定した時点で解除撤回指示を出すことができ、直ちに位置決め状態で固定することができる。
【００７０】
次に例えば、解除指示ボタン５６の操作中（例えばボタン押下中）の期間を解除期間とする構成が挙げられる。具体的には、主制御基板１５０は、解除指示ボタン５６に対して解除入力指示を継続している期間（解除期間）、発射ハンドル１４の固定解除を維持するようにソレノイド１００への通電を制御する解除制御部１５２と、を備える。この場合には、解除入力指示を継続している解除期間において発射ハンドル１４の固定が解除され、発射ハンドル１４の変位操作が可能となる。また、遊技者が発射ハンドル１４を所望に変位状態等（基準状態を含む）に変位設定し、当該継続していた解除入力指示を止めることで、直ちに位置決め状態で固定することができる。
【００７１】
次に例えば、発射ハンドル１４の向き変位後からモニタ期間内に再度向き変位検知があればその時点から再びモニタ期間がカウントする構成が挙げられる。具体的には、主制御基板１５０は、発射ハンドル１４を向き変位させた時からモニタ期間が経過するまでに再び当該発射ハンドル１４の向き変位があった場合には、その最後の向き変位検出時点からモニタ期間が経過するまでを解除期間とする。この場合には、解除期間内に何回も発射ハンドル１４を向きを変位させる場合に、遊技者は気が済むまで発射ハンドル１４を向き調整することができる。そして、最後の向き変位検出時からモニタ期間が経過した時点で発射ハンドル１４が自動的に位置決め状態で固定され、わざわざ位置決め固定手段に固定指示する必要がない。
【００７２】
例えば、第１，第２回転軸は仮想的なもので、それら仮想的な第１，第２回転軸廻りに回転可能に支持されていればよく、必ずしもそれら第１，第２回転軸に沿って軸部材が配置されている必要はない。従って、例えば第２の実施形態の場合、発射ハンドル１４が固定された所定の回転体が所定点を中心に回転可能に支持されていればよく、その所定点で互いに直交する第１，第２回転軸を実際に設け、それら第１，第２回転軸によって個別に支持する構成とする必要はない。また、第１の実施形態の場合、第１回転軸と第２回転軸とは同一平面上になくてもよい。
【００７３】
また、前述した第１の実施形態の場合、位置決め孔部１１２ａ〜１１２ｃ，１１３ａ〜１１３ｃ，１１４ａ〜１１４ｃ，１１５ａ〜１１５ｃ（位置決め被挿入部、穴部）、横溝１２３、縦溝１２４（案内凹部）等を有するガイド面１２２を内回転体７３等の回転体に、ソレノイド１００のプランジャー１０１（位置決め挿入部）をベース体７１等に配置してもよい。
【００７４】
前述した各実施形態における位置決め挿入部は、ソレノイド１００のプランジャー１０１に限られるものではなく、各種のアクチュエーター（リニアアクチュエーターや動力シリンダーなど）の進退部材としてもよい。また、各実施形態における位置決め被挿入部は例えば位置決め孔部１１２ａ〜１１２ｃ，１１３ａ〜１１３ｃ，１１４ａ〜１１４ｃ，１１５ａ〜１１５ｃのような貫通孔に限られるものではなく、円錐面を有する凹部などでもよい。また各実施形態における横溝１２３、縦溝１２４の断面形状も任意である。また、横溝１２３，縦溝１２４以外に斜め溝を形成するようにしてもよい。
【００７５】
また本発明は、アレンジボール機、雀球遊技機等の他の遊技機においても同様に実施することが可能である。
【００７６】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【００７７】
１４    発射ハンドル（操作手段）
５６    解除指示ボタン（入力指示手段，押込み操作部）
５８    位置決め保持手段
５９    位置固定手段
６０    解除手段
６４    ハンドル本体部（本体部）
６５    ハンドル角度調整手段（変位手段）
１００  ソレノイド
１０１  プランジャー（位置決め挿入部、可動部材）
１１２ａ〜ｃ  位置決め孔部（位置決め被挿入部）
１１３ａ〜ｃ  位置決め孔部（位置決め被挿入部）
１１４ａ〜ｃ  位置決め孔部（位置決め被挿入部）
１１５ａ〜ｃ  位置決め孔部（位置決め被挿入部）
１１６  ガイド部材（固定側部材）
１２３  横溝（案内凹部）
１２４  縦溝（案内凹部）
１３０  ラッチ部（ロックピン）
１４０  連動手段
１５０  主制御基板（解除制御手段）
【図１】
2014094143.tif 000003
【図２】
2014094143.tif 000004
【図３】
2014094143.tif 000005
【図４】
2014094143.tif 000006
【図５】
2014094143.tif 000007
【図６】
2014094143.tif 000008
【図７】
2014094143.tif 000009
【図８】
2014094143.tif 000010
【図９】
2014094143.tif 000011
【図１０】
2014094143.tif 000012
【図１１】
2014094143.tif 000013